【手続補正書】
【提出日】平成21年7月21日(2009.7.21)
【手続補正１】
【補正対象書類名】特許請求の範囲
【補正対象項目名】全文
【補正方法】変更
【補正の内容】
【特許請求の範囲】
【請求項１】
光学素子と、
光学素子ホルダと、
第１の接触素子とを有し、
前記光学素子は、第１の熱膨張係数を有し、
前記光学素子ホルダは、前記第１の接触素子を介して前記光学素子を保持し、かつ前記第１の熱膨張係数と異なる第２の熱膨張係数を有し、
前記光学素子及び前記光学素子ホルダのうちの一つが第１のモジュール構成部品を形成し、
前記光学素子及び前記光学素子ホルダのうちの一つが前記第１のモジュール構成部品と異なる第２のモジュール構成部品を形成し、
第１の接触面が前記第１のモジュール構成部品上に形成され、
前記第１の接触素子は、前記第１の接触面と接触する第２の接触曲面を有し、
前記第１の接触素子は、前記光学素子と前記光学素子ホルダ間の相対的な位置の熱起因変化において、前記第２の接触曲面が前記第１の接触面に対して回転移動を行うように適合される、
ことを特徴とする光学素子モジュール。
【請求項２】
前記光学素子は前記第１のモジュール構成部品を形成し、前記光学素子ホルダは前記第２のモジュール構成部品を形成する、請求項１に記載の光学素子モジュール。
【請求項３】
前記光学素子は、主に第１の平面内に広がり、かつ前記第１の平面に対して垂直な、中央に位置する光学素子軸を有し、
前記第１の接触面は前記光学素子軸に対して垂直である、請求項１に記載の光学素子モジュール。
【請求項４】
前記第１の接触素子は前記第２のモジュール構成部品とヒンジ素子を介して接続される、請求項１に記載の光学素子モジュール。
【請求項５】
前記第１の接触素子は前記第２のモジュール構成部品と接触する分離した部品である、請求項１に記載の光学素子モジュール。
【請求項６】
前記第２のモジュール構成部品は、第３の接触面を有し、
前記第１の接触素子は、前記第３の接触面と接触する第４の接触曲面を有し、
前記第１の接触素子は、前記光学素子と前記光学素子ホルダ間の相対的な位置の熱起因変化において、前記第４の接触曲面が前記第３の接触面に対して回転移動を行うように適合される、請求項１に記載の光学素子モジュール。
【請求項７】
前記光学素子は、主に第１の平面内に広がり、かつ前記第１の平面に対して垂直な、中央に位置する光学素子軸を有し、
前記第３の接触面は前記光学素子軸に対して垂直である、請求項６に記載の光学素子モジュール。
【請求項８】
前記第１の接触素子は、円柱体または球面体の何れかである、請求項１に記載の光学素子モジュール。
【請求項９】
前記光学素子は外周を有し、
前記光学素子と接触する複数の第１の接触素子が、前記外周に配分されている、請求項１に記載の光学素子モジュール。
【請求項１０】
前記光学素子ホルダはリング形状ホルダユニットを有し、前記ホルダユニットは前記光学素子の外周に沿って広がる、請求項１に記載の光学素子モジュール。
【請求項１１】
リング形状フレームユニットを備え、
前記フレームユニットは前記光学素子ホルダの外周に沿って広がり、かつ複数の歪み非連結素子を介して前記光学素子ホルダを保持する、請求項１０に記載の光学素子モジュール。
【請求項１２】
前記フレームユニットは、少なくともその熱膨張係数に関して、前記光学素子ホルダを形成する材料と異なる材料で作成される、請求項１１に記載の光学素子モジュール。
【請求項１３】
少なくとも一つの重力補償装置を備え、
前記重力補償装置は前記光学素子ホルダによって保持され、かつ前記光学素子と接触して前記光学素子へ保持力を及ぼし、
前記保持力は前記光学素子に作用する重力と実質的に対応する、請求項１に記載の光学素子モジュール。
【請求項１４】
前記重力補償装置は、前記光学素子ホルダによって保持され、かつ前記光学素子と接触する少なくとも一つの重力補償素子を有する、請求項１３に記載の光学素子モジュール。
【請求項１５】
複数の前記重力補償素子を備え、
前記重力補償素子は前記光学素子の外周の少なくとも一部分にわたって配分される、請求項１４に記載の光学素子モジュール。
【請求項１６】
前記少なくとも一つの重力補償素子は弾性素子である、請求項１４に記載の光学素子モジュール。
【請求項１７】
前記光学素子は、主に第１の平面内に広がり、かつ前記第１の平面に対して垂直な、中央に位置する光学素子軸を有し、
前光学素子軸は、水平面に対して略垂直であるか、水平面に対して略平行であるかの何れかである、請求項１４に記載の光学素子モジュール。
【請求項１８】
前光学素子軸は、水平面に対して略平行であり、
前記重力補償装置は少なくとも一つの弾性テンション素子を有し、
前記テンション素子は、前記光学素子の下側部分と接触する中間部と、前記光学素子ホルダにそれぞれ取り付けられた二つの端部とを有する、請求項１７に記載の光学素子モジュール。
【請求項１９】
前記テンション素子は、ロープ素子またはストラップ素子の何れかである、請求項１８に記載の光学素子モジュール。
【請求項２０】
第２の接触素子を備え、
前記光学素子及び前記光学素子ホルダのうちの一つが第１の接続部品を形成し、
前記光学素子及び前記光学素子ホルダのうちの一つが前記第１の接続部品と異なる第２の接続部品を形成し、
第５の接触面が前記第１の接続部品上に形成され、
前記第２の接触素子は、前記第５の接触面と接触し、かつ、ヒンジ素子を介して前記第２の接続部品に接続されるか、前記第２の接続部品と接触するかの何れかである、請求項１に記載の光学素子モジュール。
【請求項２１】
前記光学素子は前記第１の接続部品を形成し、前記光学素子ホルダは前記第２の接続部品を形成する、請求項２０に記載の光学素子モジュール。
【請求項２２】
前記第２の接触素子は、前記第５の接触面と接触する第６の接触曲面を有し、
前記第２の接触素子は、前記光学素子と前記光学素子ホルダ間の相対的な位置の熱起因変化において、前記第６の接触曲面が前記第５の接触面に対して回転移動を行うように適合される、請求項２０に記載の光学素子モジュール。
【請求項２３】
前記光学素子は、主に第１の平面内に広がり、かつ前記第１の平面に対して垂直な、中央に位置する光学素子軸を有し、
前記第５の接触面は前記光学素子軸に対して垂直である、請求項２２に記載の光学素子モジュール。
【請求項２４】
前記第２の接続部品は、第７の接触面を有し、
前記第２の接触素子は、前記第７の接触面と接触する第８の接触曲面を有し、
前記第２の接触素子は、前記光学素子と前記光学素子ホルダ間の相対的な位置の熱起因変化において、前記第８の接触曲面が前記第７の接触面に対して回転移動を行うように適合される、請求項２０に記載の光学素子モジュール。
【請求項２５】
前記光学素子は、主に第１の平面内に広がり、かつ前記第１の平面に対して垂直な、中央に位置する光学素子軸を有し、
前記第７の接触面は前記光学素子軸に対して垂直である、請求項２４に記載の光学素子モジュール。
【請求項２６】
前記第２の接触素子は、円柱体または球面体の何れかである、請求項２０に記載の光学素子モジュール。
【請求項２７】
前記光学素子は外周を有し、
前記光学素子と接触する複数の第２の接触素子が、前記外周に配分されている、請求項２０に記載の光学素子モジュール。
【請求項２８】
前記第１の接続部品は前記第１の接触素子と前記第２の接触素子の間にクランプされる、請求項２０に記載の光学素子モジュール。
【請求項２９】
前記第２の接触素子は、前記第１の接続部品と弾性的に接触する、請求項２０に記載の光学素子モジュール。
【請求項３０】
前記第２の接触素子は第１の接触部を有し、
前記第１の接触部は前記第１の接続部品と接触し、かつ前記第２の接続部品と弾性的に接続される、請求項２９に記載の光学素子モジュール。
【請求項３１】
前記第１の接触部は前記第２の接続部品と少なくとも一つの弾性素子を介して接続される、請求項３０に記載の光学素子モジュール。
【請求項３２】
前記弾性素子は弾性アームを有する、請求項３０に記載の光学素子モジュール。
【請求項３３】
ストッパ素子を備え、
前記ストッパ素子は前記弾性素子から停止間隔離れたところに位置し、かつ前記第１の接続部品から離れる第１の方向における前記弾性素子の移動を制限するように適合される、請求項３１に記載の光学素子モジュール。
【請求項３４】
前記停止間隔は、前記光学素子モジュールの通常動作中、前記第１の方向において前記弾性素子に作用することが想定される最大力の関数として選択され、
前記停止間隔の前記選択は、前記第１の方向において、前記最大力を越える異常力を経験する場合に、前記弾性素子が前記ストッパ素子に接触するようになされる、請求項３３に記載の光学素子モジュール。
【請求項３５】
前記光学素子は外周を有し、
前記光学素子と接触する複数の第２の接触素子が、前記外周に配分されている、請求項３０に記載の光学素子モジュール。